(57)【要約】【課題】　送信機から受信機に送信される信号に適用される、複数の利用可能な異なる変調及び符号化レベルの１つを選択するステップより成る適応変調及び符号化方法を提供すること。【解決手段】　該選択は、信号送信品質【外３】2004064797.tif 000007及び１つ又はそれ以上の閾値の間の比較に基づいて行われる。前記信号送信品質が前記閾値の所定の範囲内にある場合には前記閾値が調整され（Ｓ５，Ｓ６）、前記信号送信品質が該範囲外にある場合には不変に維持される（Ｓ３）。　信号送信品質が該値の範囲外にある場合に閾値を不変に維持することで、優勢な信号送信状態を閾値に考慮しつつ、閾値に対する調整が制限される。これは、特に単独の支配的な経路を含む経路状態にて、改善されたスループット特性をもたらす。【選択図】　図８
2004064797.tif 000002
【特許請求の範囲】
【請求項１】
　送信機から受信機に送信される信号に適用される、複数の利用可能な異なる変調及び符号化レベルの１つを選択するステップであって、該選択が、信号送信品質及び閾値の間の比較に基づいて行われるところのステップ；及び
　前記信号送信品質が前記閾値の所定の範囲内にある場合に前記閾値を調整し、前記信号送信品質が該範囲外にある場合には前記閾値を不変に維持するステップ；
　より成ることを特徴とする適応変調及び符号化方法。
【請求項２】
　調整するステップにおいて、前記信号が前記受信機により良好に受信されなかった場合に前記閾値がある上昇量だけ増やされ、前記信号が前記受信機により良好に受信された場合にはある下降量だけ減らされることを特徴とする請求項１に記載の方法。
【請求項３】
　調整するステップにおいて、前記受信機により受信された前記信号が巡回冗長検査に不合格となった場合に前記閾値がある上昇量だけ増やされ、前記受信された信号が巡回冗長検査に合格した場合にはある下降量だけ減らされることを特徴とする請求項１又は２に記載の方法。
【請求項４】
　調整するステップ及び選択するステップが、前記受信機にて行われ、選択されたレベルを前記受信機が前記送信機に報告することを特徴とする請求項１乃至３の何れか１項に記載の方法。
【請求項５】
　前記受信機が、前記信号送信品質を前記送信機に報告し、調整するステップ及び選択するステップが、前記送信機で行われることを特徴とする請求項１乃至４の何れか１項に記載の方法。
【請求項６】
　送信機から受信機に送信される信号に適用される、複数の利用可能な異なる変調及び符号化レベルの１つを選択するレベル選択手段であって、該選択が、信号送信品質及び閾値の間の比較に基づいて行われるところのレベル選択手段；及び
　前記信号送信品質が前記閾値の所定の範囲内にある場合に前記閾値を調整するように動作し、前記信号送信品質が該範囲外にある場合には前記閾値を不変に維持するようにも動作する閾値調整手段；
　を有することを特徴とする適応変調及び符号化装置。
【請求項７】
　無線通信システムで使用するユーザ装置であって：
　基地局からユーザ装置に送信されるダウンリンク信号に、該システムの基地局により適用される、複数の利用可能な異なる変調及び符号化レベルの１つを選択するレベル選択手段であって、該選択が、信号送信品質及び閾値の間の比較に基づいて行われるところのレベル選択手段；
　前記信号送信品質が前記閾値の所定の範囲内にある場合に前記閾値を調整するように動作し、前記信号送信品質が該範囲外にある場合には前記閾値を不変に維持するようにも動作する閾値調整手段；及び
　選択されたレベルを前記基地局に報告する報告手段；
　を有することを特徴とする無線通信システムで使用するユーザ装置。
【請求項８】
　無線通信システムで使用するための基地局であって：
　該システムのユーザ装置から、前記ユーザ装置によって生成されたダウンリンク信号送信品質の報告を受信する報告受信手段；
　基地局からユーザ装置に送信されるダウンリンク信号に適用される、複数の利用可能な異なる変調及び符号化レベルの１つを選択するレベル選択手段であって、該選択が、報告されたダウンリンク信号送信品質及び閾値の間の比較に基づいて行われるところのレベル選択手段；及び
　前記信号送信品質が前記閾値の所定の範囲内にある場合に前記閾値を調整するように動作し、前記信号送信品質が該範囲外にある場合には前記閾値を不変に維持するようにも動作する閾値調整手段；
　を有することを特徴とする基地局。
【請求項９】
　無線通信システムのユーザ装置内のプロセッサにて動作するオペレーティングプログラムであって、
　基地局からユーザ装置に送信されるダウンリンク信号に、該システムの基地局により適用される、複数の利用可能な異なる変調及び符号化レベルの１つを選択するステップであって、該選択が、信号送信品質及び閾値の間の比較に基づいて行われるところのステップ；
　前記信号送信品質が前記閾値の所定の範囲内にある場合に前記閾値を調整し、前記信号送信品質が該範囲外にある場合には前記閾値を不変に維持するステップ；及び
　選択されたレベルを前記基地局に報告するステップ；
　をユーザ装置に実行させることを特徴とするオペレーティングプログラム。
【請求項１０】
　無線通信システムの基地局内のプロセッサにて動作するオペレーティングプログラムであって：
　該システムのユーザ装置から、前記ユーザ装置によって生成されたダウンリンク信号送信品質の報告を受信するステップ；
　基地局からユーザ装置に送信されるダウンリンク信号に、基地局によって適用される、複数の利用可能な異なる変調及び符号化レベルの１つを選択するステップであって、該選択が、報告されたダウンリンク信号送信品質及び閾値の間の比較に基づいて行われるところのステップ；及び
　前記信号送信品質が前記閾値の所定の範囲内にある場合に前記閾値を調整し、前記信号送信品質が該範囲外にある場合には前記閾値を不変に維持するステップ；
　を基地局に実行させることを特徴とするオペレーティングプログラム。
【発明の詳細な説明】
【技術分野】
【０００１】
　本発明は、例えば無線通信システムで使用するための適応変調及び符号化方法及び装置に関連する。
【背景技術】
【０００２】
　図１は、無線通信システムの一部を示す。このシステムは、複数の基地局２を有するが、図１ではその内の１つのみが図示されている。基地局２は、複数の個別的なユーザが位置し得るセルをまかなう。ユーザ各自は個々のユーザ装置（ＵＥ）を有する。図１では、ユーザ装置ＵＥ２，ＵＥ１１及びＵＥ５０のみが示されている。各ユーザは例えば携帯用端末（ハンドセット）又は携帯用コンピュータである。
【０００３】
　よく知られているように、符号分割多重接続（ＣＤＭＡ）システムでは、様々なチャネル形成符号（ｃｈａｎｎｅｌｉｓａｔｉｏｎ　ｃｏｄｅ）を利用することで、基地局（「ノードＢ」としても知られている）から様々なユーザに送信される信号が区別される。いわゆる第３世代無線通信システムでは、（基地局からＵＥへの）ダウンリンク方向におけるデータを送信するために、高速ダウンリンクパケットアクセス（ＨＳＤＰＡ）法が提案されている。この手法では、データを送信するために複数のチャネルが利用可能である。これらのチャネルは、異なるチャネル形成符号を有し得る。例えば、所与のセル又はセルのセクタにおけるＨＳＤＰＡに利用可能な異なるチャネルＣ１乃至Ｃ１０があり得る。ＨＳＤＰＡでは、ダウンリンク送信は、一連の送信時間間隔（ＴＴＩ）又はフレームに分割され、選択されたＵＥに利用可能な様々なチャネルの各々にてデータパケットが送信される。ＵＥがどのチャネルによって処理されるかについての新たな選択は、各ＴＴＩにて行われ得る。
【０００４】
　図２は、一連の送信時間間隔ＴＴＩ１乃至ＴＴＩ９にわたるＨＳＤＰＡの動作例を示す。図２に示されるように、ＴＴＩ１では、２つのパケットがＵＥ５０に送信され、４つのパケットがＵＥ１１に送信され、そして４つのパケットがＵＥ２に送信される。従って、２つのチャネルがＵＥ５０に割り当てられ、４つのチャネルがそれぞれＵＥ１１及びＵＥ２に割り当てられる。図1に示されるように、ＵＥ５０にはチャネルＣ１及びＣ２が割り当てられ、ＵＥ１１にはチャネルＣ３乃至Ｃ６が割り当てられ、ＵＥ２にはチャネルＣ７乃至Ｃ１０が割り当てられる。
【０００５】
　次の送信時間間隔ＴＴＩ２では、新たなユーザ装置ＵＥ１に１つのパケットが送信され、残りのＴＴＩ１で指定されたＵＥは、パケットを受信し続ける。
【０００６】
　このように、ＨＳＤＰＡシステムは、同様な共有される多数のチャネルを効率的に使用して、基地局から様々なＵＥへパケット形式でデータを送信する。このシステムは、例えばワールドワイドウェブ（ＷＷＷ：ｗｏｒｌｄ　ｗｉｄｅ　ｗｅｂ）ブラウザ機能をサポートするために使用されることが想定される。
【０００７】
　ＨＳＤＰＡシステムでは、ロバスト（ｒｏｂｕｓｔ）な通信システム構造を実現するために、チャネル状態情報（ＣＳＩ：ｃｈａｎｎｅｌ　ｓｔａｔｅ　ｉｎｆｏｒｍａｔｉｏｎ）が送信機及び受信機両者に利用可能である。ＨＳＤＰＡシステムは、送信レート及びスループット（処理能力）を増進させ、様々なユーザに提供されるサービス品質（ＱｏＳ）を向上させることを意図する。これは、基地局コントローラ（無線ネットワークコントローラ又はＲＮＡとしても知られている）から送受信基地局（ノードＢ）へほとんどの機能が転送される。
【０００８】
　また、ＨＳＤＰＡシステムは、適応変調及び符号化法（ＡＭＣＳ：ａｄａｐｔｉｖｅ　ｍｏｄｕｌａｔｉｏｎ　ａｎｄ　ｃｏｄｉｎｇ　ｓｃｈｅｍｅ）と呼ばれる制御手法を利用して、様々なチャネル状態の下に、基地局が様々な変調及び／又は符号化手法を選択することを可能にする。
【０００９】
　送信機及び受信機（ＵＥ）間のチャネルに対する信号送信品質は、時間と供に大幅に変化する。図３は、一連の５０００ＴＴＩにわたる４つの異なるユーザに対するダウンリンクチャネルの信号干渉比（ＳＩＲ）の変化を例示する。この図（プロット）はシミュレーションに得られたものである。図示されているように、所与のＵＥに対して、ＳＩＲ値の変化は＋１２ｄＢから−１５ｄＢに至る程度に大きくなり得る。ＳＩＲ値は、シャドウイング（ｓｈａｄｏｗｉｎｇ）、レイリーフェージング、移動するＵＥの分布の変化、更には伝搬パラメータ及びＵＥの速度を含むセルラ領域仕様等に起因して変化する。
【００１０】
　図４は、変調及び符号化法（ＭＣＳ）レベルとも言及される、４つの異なる変調及び符号化の組み合わせに対するデータ送信レート（スループット）及び信号干渉比の間の関係を図示する。最初の３つのレベル（ＭＣＳ８，ＭＣＳ６及びＭＣＳ５）は、総て直交振幅変調のものであるが、それらは使用される信号配置点（コンステレーション）の数が互いに相違する（６４又は１６）。第４のレベル（ＭＣＳ１）は、その変調手法として直交位相シフトキーイング（ＱＰＳＫ）を使用する。
【００１１】
　各レベルは、この例では、冗長レート（ｒｅｄｕｎｄａｎｃｙ　ｒａｔｅ）Ｒとして表現される符号化パラメータにより定められる符号化を使用する。最初の２つのレベルＭＣＳ８，ＭＣＳ６に対しての冗長レートＲは３／４であり、第３，４のレベルＭＣＳ５，ＭＣＳ１に対しての冗長レートは１／２である。
【００１２】
　図４から理解されるように、−４ｄＢより低いＳＩＲ値に対して、ＭＣＳ１（ＱＰＳＫ，Ｒ＝１／２）が最良の選択肢である。図において、このレベルの特性（グラフ）は、丸印でプロットされている。
【００１３】
　−４ｄＢ乃至＋２ｄＢ近辺の範疇におけるＳＩＲ値に対しては、ＭＣＳ５（１６ＱＡＭ，Ｒ＝１／２）が最良の送信レートを与える。図において、このＭＣＳレベルの特性は、十字の記号（×）で描かれている。
【００１４】
　＋２ｄＢ乃至＋８ｄＢの範疇におけるＳＩＲ値に対しては、ＭＣＳ６（１６ＱＡＭ，Ｒ＝３／４）が最良の送信レートを与える。図において、このＭＣＳレベルの特性は菱形の記号で描かれている。
【００１５】
　＋８ｄＢ以上のＳＩＲ値に対しては、ＭＣＳ８（６４ＱＡＭ，Ｒ＝３／４）が最良の送信レートを与える。図において、このＭＣＳレベルの特性は四角の記号で描かれている。
【００１６】
　ＨＳＤＰＡシステムでは、チャネル状態（例えば、ＳＩＲ値）の変化に応じて、ＭＣＳレベルを適応させるために、適応変調及び符号化（ＡＭＣ）のような技術が使用される。各ＵＥは、基地局からのダウンリンクチャネルのＳＩＲの測定値を求め、その測定値（ＳＩＲ値）を基地局に報告する。そして、基地局は、報告された各ＵＥに対するＳＩＲ値、更にはシステム制約事項及び利用可能なＭＣＳレベルに関する情報を利用して、特定のＵＥについて最も効果的なＭＣＳレベルを判別する。従って、より良好なチャネルを有する、又は基地局の近傍に位置するＵＥは、より高いレベルのＭＣＳを利用することができ、より高速の送信レートの恩恵を受けることが可能である。この選択は、例えば、次のＭＣＳレベルに移行するための閾値（例えば、図４に示されるようなＴｈ０１，Ｔｈ０２，及びＴｈ０３）を設けることで実行され得る。実際上、この結果は、各ＵＥのチャネル品質に基づく送信レートの分類になる。
【００１７】
　理想的には、各ＵＥはＴＴＩ毎にＳＩＲ値を報告し、基地局はＴＴＩ毎に利用可能な各チャネルについて新たなＭＣＳレベルを設定することができる。
【００１８】
　また、ＨＳＤＰＡシステムは、ハイブリッド自動反復要求（Ｈ−ＡＲＱ：ｈｙｂｒｉｄ　ａｕｔｏｍａｔｉｃ　ｒｅｐｅａｔ　ｒｅｑｕｅｓｔ）法を利用し得る。
【００１９】
　図５は、Ｈ−ＡＲＱ法がどのように機能するかを説明するための概略図である。この例における手法は、いわゆる停止待機（ＳＡＷ：ｓｔｏｐ−ａｎｄ−ｗａｉｔ）形式の手法である。この図は、一連のＴＴＩ（ＴＴＩ１乃至ＴＴＩ９）にわたる単独のダウンリンクチャネルＨＳＰＤＳＣＨ１におけるパケット送信を示す。ＴＴＩ２では、最初のパケットがＵＥ１に送信される。パケットを受信すると、各ＵＥはその送信が無誤差伝送又はエラーフリー（ｅｒｒｏｒ−ｆｒｅｅ）であったか否かを検査する。もしそうであれば、ＵＥは、専用の物理制御チャネル（ＤＰＣＣＨ）のようなアップリンク制御チャネルを利用して、基地局に承認メッセージＡＣＫを返送する。受信したパケットの伝送にエラーがあった場合は、ＵＥは、アップリンクチャネルを利用して基地局に非承認メッセージＮＡＣＫを返送する。
【００２０】
　図５に示される例では、ＴＴＩ２でＵＥ１に送信した最初のパケットが、エラーフリーで受信されることに失敗し、その結果しばらくして後に、ＴＴＩ４の間に、ＵＥ１は基地局にＮＡＣＫメッセージを送信する。Ｈ−ＡＲＱ法では、同一のＵＥに以前に送信されたパケットの承認又は非承認メッセージを待つことなしに、特定のＵＥ宛ての次のパケットを送信することが許容されている。従って、エラーフリーチャネルの場合に、送信タイムスロットが無駄な期間（ｉｄｌｅ）になることはなく、これは、ＵＥを自由にスケジュール化する（予定を決める）機能を与える。システム容量は節約され、配信されるデータに関するシステム全体の実効性が改善される。
【００２１】
　例えば、図５に示されるように、ＵＥ１の最初のパケットに対するＮＡＣＫメッセージが基地局にて受信される前に、基地局はＴＴＩ４でＵＥ１に第２のパケットを送信する。従って、第１のパケットの最初の伝送に対するＮＡＣＫメッセージに応答して、ＵＥ１に対する第１のパケットがＴＴＩ７にて再送信される前に、ＵＥ１に対する第２のパケットが送信される。
【００２２】
　Ｈ−ＡＲＱ法では、誤って受信されたパケット（失敗したパケット）は、いわゆる追跡結合プロセス（ｃｈａｓｅ　ｃｏｍｂｉｎｉｎｇ　ｐｒｏｃｅｓｓ）に委ねられる。このプロセスでは、誤ったパケットが送信機によって再送信され、その後に受信機は、（例えば、最大比結合を利用して）同一パケットの受信された複製物総てを「ソフト（ｓｏｆｔ）」に結合する。最終的なＳＩＲは、結合された２つのパケットの各自のＳＩＲの和として定められる。従って、追跡結合プロセスは、送信されたパケットのＳＩＲを向上させる。
【００２３】
　ＡＭＣ及びＨＡＲＱ法についての更なる情報は、３ＧＰＰ　ＴＲ　２５．８４８Ｖ４．０．０（２００１−０３），第３世代パートナーシッププロジェクト；技術仕様グループ無線アクセスネットワーク；ＵＴＲＡ高速ダウンリンクパケットアクセスの物理階層形態（リリース４），２００１年３月等に見受けられ、これらの内容は本発明の参考に供せられる。
【００２４】
　異なるＭＣＳレベル間の切り替え（スイッチング）は、非常に重要な作業として認識されており、近年には、このスイッチングを最適化する様々な提案がなされている。例えば、ＴＳＧ　Ｒ１−１−０５８９、ＴＳＧ−ＲＡＮ　ワーキンググループ１会議番号２０、プサン、韓国、２００１年５月２１日乃至２５日では、ＮＥＣ及びテレコムモデュス（Ｔｅｌｅｃｏｍ　ＭＯＤＵＳ）は、異なるＭＣＳレベル間の切替のための閾値が、ＵＥからのＡＣＫ／ＮＡＣＫ信号に基づいて調整されるＡＭＣＳ法を共同して提案している。ＮＡＣＫが信号送信されるならば、基地局は上昇量Ｓ１だけ閾値を増加させる。ＡＣＫが信号送信されるならば、基地局は下降量Ｓ２だけ閾値を減少させる。閾値の調整は制限され、簡単のため、閾値間の差分が固定され得る。上昇量Ｓ１及び下降量Ｓ２の間の比率は、目標とするエラーレートに基づいて決定され得る。
【００２５】
　このＡＭＣＳ法は、ＭＣＳレベル間の閾値を調整して、無線通信システムにおける異なる動作状態を考慮しようとするものである。特に、任意の特定の信号状態の下での最適なＭＣＳレベルは、ドップラ周波数（即ち、ＵＥが移動している速度）及びマルチパス伝搬状態に依存する。例えば、図６は、図４における様々なＭＣＳレベルの各々についての、スループット対ＳＩＲ特性に対するＵＥ速度の影響を示す。ＭＣＳレベル毎に３つの線が描かれている：最も上の線は３ｋｍ／ｈ（ドップラ周波数Ｆｄ＝５．５５５Ｈｚ）の低速のＵＥに対応し、中間の線は６０ｋｍ／ｈ（Ｆｄ＝１１１．１１１２Ｈｚ）の中程度の速度のＵＥに対応し、最も下の線は１２０ｋｍ／ｈ（Ｆｄ＝２２２．２４Ｈｚ）の高速のＵＥに対応する。図６は、ＵＥ速度が上昇するにつれてスループットが劣化することを示す。また、ＭＣＳレベル間の切り替えに適切な閾値も、ＵＥ速度が変化するにつれて変化することも理解される。
【００２６】
　図６は単独経路のレイリーフェージングモードに関連するものである。図７は、２つの等利得経路の経路状態における異なるＵＥ速度の影響を示す。各特性は図６のものと大幅に相違することが理解されるであろう。そして、経路状態が変化するにつれて適切な閾値も変化することが明白である。
【発明の開示】
【発明が解決しようとする課題】
【００２７】
　ＮＥＣ／テレコムモデュスにより提案される手法は、動作状態が変化するにつれて閾値を変化させるが、その方法は、ＡＣＫ又はＮＡＣＫメッセージが受信される各時点で即ちフレーム毎に、閾値を増加させる又は減少させるので、申し分のない解決手段を与えるものではない。これは、開放された田舎のように、１つの支配的な経路が実際上存在するような経路状態に対して、低いＭＣＳレベルでは比較的貧弱な特性となってしまうであろう。
【課題を解決するための手段】
【００２８】
　本発明の第１態様によれば、送信機から受信機に送信される信号に適用される、複数の利用可能な異なる変調及び符号化レベルの１つを選択するステップであって、該選択が、信号送信品質及び閾値の間の比較に基づいて行われるところのステップ；及び前記信号送信品質が前記閾値を含む所定の範囲内にある場合に前記閾値を調整し、前記信号送信品質が該範囲外にある場合には前記閾値を不変に維持するステップ；より成ることを特徴とする適応変調及び符号化方法が提供される。
【００２９】
　このようなＡＭＣＳ法では、閾値は優勢な信号送信状態を考慮して調整されるが、従来の提案手法よりも限定された範疇で調整される。このことは、スループット特性を改善し、特に単独の支配的な経路を含む経路状態下における特性を改善する。信号送信品質は、信号干渉比によるものであり、受信機によって測定され得る。信号送信品質は、ＡＭＣＳが適用される実際の信号に基づいて又はパイロット信号のような他の信号に基づいて測定され得る。
【００３０】
　調整するステップにおいて、前記信号が前記受信機により良好に受信されなかった場合に前記閾値がある上昇量（ｕｐｗａｒｄ　ａｍｏｕｎｔ）だけ増やされ、前記信号が前記受信機により良好に受信された場合にはある下降量（ｄｏｗｎｗａｒｄ　ａｍｏｕｎｔ）だけ減らされる。多くの通信システムでは、受信機には、信号が良好に受信されたか否かを監視することが必要とされるが、閾値を調整することを支援するためにその情報を利用することは、何らの新たな情報も生成されることを要しない。
【００３１】
　例えば、受信された信号に巡回冗長検査（ＣＲＣ）が受信機により実行されるシステムでは、調整するステップにおいて、前記受信機により受信された前記信号が巡回冗長検査に不合格となった場合に前記閾値がある上昇量だけ増やされ、前記受信された信号が巡回冗長検査に合格した場合にはある下降量だけ減らされる。また、この情報が既に生成されているようなシステムでは、ＡＭＣＳ法は、システムにおける情報を生成する負荷を増加させることなしに、閾値を調整するためにこの情報を使用することが可能である。
【００３２】
　上昇量は下降量と相違し得る。適切に動作するシステムでは、下降量は上昇量より小さいことが望ましい。適切に動作するシステムでは、受信信号は、（例えば、ＣＲＣ不良のように）それが不適切に受信されるよりも頻繁に良好に（例えば、ＣＲＣ検査に合格するように）受信されるべきである。従って、安定的な調整又はシステムの安定性を図るために、上昇量よりも頻繁に適用されることが予想される下降量は、上昇量よりも小さくすべきである。一方、信号送信状態が貧弱であることが予測されるならば、下降量は上昇量よりも高く設定され得る。
【００３３】
　例えば、上昇量に対する下降量の比率は、受信信号の目標とするエラーレートに依存し得る。目標のエラーレートは、受信する信号における成功例の予測値である。一実施例では、上昇量に対する下降量の比率は、信号が良好に受信される回数に対する、信号が不適切に受信される回数の比率に等しく設定され、即ちそれは（エラーレート）を（１マイナスエラーレート）で除算したものである。このようにして、目標とするエラーレートを低くするほど、下降量及び上昇量間の比率は低くなる。
【００３４】
　一実施例では、下降量及び／又は上昇量は、閾値及び信号送信品質の間の差分に依存する。例えば、その又はそれぞれの調整量は、差分が減少するにつれて増加する。これは、調整量を閾値から遠ざけるように制限しながら、調整量を閾値近辺に拡大する効果を有する。
【００３５】
　実際のシステムでは、２以上の異なる利用可能なレベルが存在し、その場合には隣接するレベルの各組み合わせに対して閾値が存在する。この場合に、前記信号送信品質が対象とする前記閾値の所定の範囲内にある場合には、前記閾値の各々が調整されることが望ましい。
【００３６】
　この場合に、前記閾値の少なくとも１つに対する所定の範囲が、前記閾値の他のものの所定の範囲と相違し得る。これが望ましいのは、少なくともいくつかのチャネル状態で、異なるレベルが全く異なる特性を有するためである。様々な閾値について様々な所定の範囲を設定する機能を備えることは、これらの差異を考慮に入れることを可能にする。
【００３７】
　所定の範囲は、閾値マイナスαから閾値プラスαまでを網羅するように、１つの値αによって設定され得る。また、その範囲は、閾値マイナスα１から閾値プラスα２までを網羅するように、２つの異なる値α１，α２によって設定され得る。また、所定の範囲について異なる値α１，α２を設定する機能を備えることは、ＭＣＳレベルの異なる特性を考慮に入れることを可能にする。
【００３８】
　一実施例では、調整するステップ及び選択するステップが、前記受信機にて行われ、選択されたレベルを前記受信機が前記送信機に報告する。
【００３９】
　他の実施例では、前記受信機が、前記信号送信品質を前記送信機に報告し、調整するステップ及び選択するステップが、前記送信機で行われる。
【００４０】
　選択するステップは、その選択が、何らの調整が行われた後の閾値に準拠するように、調整するステップの後に実行され得る。或いは、選択するステップは、調整するステップに先立って行うことも可能である。
【００４１】
　選択するステップでは、信号が良好に受信されたか否かに依存して選択を行うことも望ましい。例えば、信号が良好に受信されなかったならば、たとえ信号送信品質が調整された閾値よりも大きくとしても、より高いレベルへの移行が禁止され得る。
【００４２】
　本方法は、ＡＭＣＳ法が適用され得る送信機及び受信機を有する任意の通信システムで使用され得る。特に、本方法は、セルラ無線通信システムで使用されることが可能であり、その場合には、送信機は無線通信システムの基地局であり、受信機はシステムのユーザ装置であり得る。
【００４３】
　本方法は、ＨＳＤＰＡシステムで特に有用であり、その場合には、ＡＭＣＳが適用される信号が、ダウンリンクパケットアクセス信号である。
【００４４】
　本発明の第２態様によれば、送信機から受信機に送信される信号に適用される、複数の利用可能な異なる変調及び符号化レベルの１つを選択するレベル選択手段であって、該選択が、信号送信品質及び閾値の間の比較に基づいて行われるところのレベル選択手段；及び前記信号送信品質が前記閾値の所定の範囲内にある場合に前記閾値を調整するように動作し、前記信号送信品質が該範囲外にある場合には前記閾値を不変に維持するようにも動作する閾値調整手段；を有することを特徴とする適応変調及び符号化装置が提供される。
【００４５】
　本発明の第３態様によれば、無線通信システムで使用するユーザ装置であって：基地局からユーザ装置に送信されるダウンリンク信号に、該システムの基地局により適用される、複数の利用可能な異なる変調及び符号化レベルの１つを選択するレベル選択手段であって、該選択が、信号送信品質及び閾値の間の比較に基づいて行われるところのレベル選択手段；前記信号送信品質が前記閾値の所定の範囲内にある場合に前記閾値を調整するように動作し、前記信号送信品質が該範囲外にある場合には前記閾値を不変に維持するようにも動作する閾値調整手段；及び選択されたレベルを前記基地局に報告する報告手段；を有することを特徴とする無線通信システムで使用するユーザ装置が提供される。
【００４６】
　本発明の第４態様によれば、無線通信システムで使用するための基地局であって：該システムのユーザ装置から、前記ユーザ装置によって生成されたダウンリンク信号送信品質の報告を受信する報告受信手段；基地局からユーザ装置に送信されるダウンリンク信号に適用される、複数の利用可能な異なる変調及び符号化レベルの１つを選択するレベル選択手段であって、該選択が、報告されたダウンリンク信号送信品質及び閾値の間の比較に基づいて行われるところのレベル選択手段；及び前記信号送信品質が前記閾値の所定の範囲内にある場合に前記閾値を調整するように動作し、前記信号送信品質が該範囲外にある場合には前記閾値を不変に維持するようにも動作する閾値調整手段；を有することを特徴とする基地局が提供される。
【００４７】
　実際には、本発明を利用するＡＭＣＳ法は、オペレーティングプログラムが実行されるユーザ装置又は基地局内のプロセッサにより少なくとも一部が実現されるであろう。本発明の第５態様によれば、無線通信システムのユーザ装置内のプロセッサにて動作するオペレーティングプログラムであって、基地局からユーザ装置に送信されるダウンリンク信号に、該システムの基地局により適用される、複数の利用可能な異なる変調及び符号化レベルの１つを選択するステップであって、該選択が、信号送信品質及び閾値の間の比較に基づいて行われるところのステップ；前記信号送信品質が前記閾値の所定の範囲内にある場合に前記閾値を調整し、前記信号送信品質が該範囲外にある場合には前記閾値を不変に維持するステップ；及び選択されたレベルを前記基地局に報告するステップ；をユーザ装置に実行させることを特徴とするオペレーティングプログラムが、提供される。
【００４８】
　同様に、本発明の第６態様によれば、無線通信システムの基地局内のプロセッサにて動作するオペレーティングプログラムであって：該システムのユーザ装置から、前記ユーザ装置によって生成されたダウンリンク信号送信品質の報告を受信するステップ；基地局からユーザ装置に送信されるダウンリンク信号に基地局によって適用される、複数の利用可能な異なる変調及び符号化レベルの１つを選択するステップであって、該選択が、報告されたダウンリンク信号送信品質及び閾値の間の比較に基づいて行われるところのステップ；及び前記信号送信品質が前記閾値の所定の範囲内にある場合に前記閾値を調整し、前記信号送信品質が該範囲外にある場合には前記閾値を不変に維持するステップ；を基地局に実行させることを特徴とするオペレーティングプログラムが、提供される。
【００４９】
　本発明の更なる態様は、ユーザ装置又は基地局で使用するための、上記第５及び第６態様のステップを実行する手段を有する制御回路を提供する。
【００５０】
　以下の説明において、例として添付図面が参照される。　
【発明を実施するための最良の形態】
【００５１】
　図８は、本発明の第１実施例によるＡＭＣＳ法を説明するのに使用するフローチャートである。この実施例では、ＵＥは、ダウンリンク信号の各フレームについて適切なＭＣＳレベルを選択し、選択したレベルを基地局に報告する。
【００５２】
　この例では、本方法は、ＨＳＤＰＡシステムにおけるダウンリンクパケットアクセス信号のＭＣＳレベルを調整するために使用される。
【００５３】
　図９は、第１実施例による信号送信を説明するための概略図である。
【００５４】
　ダウンリンク信号送信では、４つのチャネルが使用される。共通パイロットチャネル（ＣＰＩＣＨ）は、基地局によりサービス提供されるセル内の総てのＵＥに信号を同報送信又はブロードキャストするために使用され、そのＣＰＩＣＨ信号に基づいて各ＵＥがダウンリンクチャネル品質を測定することを可能にする。高速ダウンリンク共通チャネルＨＳ−ＤＳＣＨは、パケットデータをＵＥに送信するために使用される。高速共通制御チャネルＨＳ−ＳＣＣＨは、転送フォーマット及びリソース関連情報（ＴＦＩＲ：ｔｒａｎｓｐｏｒｔ　ｆｏｒｍａｔ　ａｎｄ　ｒｅｓｏｕｒｃｅ　ｒｅｌａｔｅｄ　ｉｎｆｏｒｍａｔｉｏｎ）              を搬送するために使用される。このＴＦＩＲは、例えば８ビットであり、チャネル形成符号、ＭＣＳレベル、及び転送ブロックサイズに関する情報を包含し得る。また、ＨＳ−ＳＣＣＨは、ＨＡＲＱ関連情報をも搬送する。このＨＡＲＱ情報は、例えば１２ビットであり、ＨＡＲＱプロセス番号、冗長形式、新規データ指標又はインジケータ、及びＵＥ　ＩＤを包含し得る。専用の物理チャネルＤＰＣＨは、高速データパケットモードが使用中であるか否かを示す高速データ制御信号を送信するために選択的に使用される。
【００５５】
　アップリンク信号送信は、高速専用物理制御チャネルＨＳ−ＤＰＣＣＨを利用して実行される。このチャネルは、チャネル品質インジケータ、ＨＡＲＱ承認（ＡＣＫ／ＮＡＣＫ）、及び本実施例ではＵＥにより使用されるＭＣＳレベルを送信するために使用される。
【００５６】
　図８を参照するに、第１実施例によるＡＭＣＳ法が、フレーム毎に動作する。各ダウンリンクフレーム（ＴＴＩ）にて、本方法はステップＳ１乃至Ｓ７を有する。
【００５７】
　ステップＳ１では、ＵＥはダウンリンクチャネルの測定値を形成する。この測定値は、例えばＣＰＩＣＨに基づくものであり、干渉ＩＯＣを含む背景ノイズに対するＣＰＩＣＨ信号の受信電力
【外１】
【００５８】
2004064797.tif 000003
の比率を表現する。その比率
【外２】
【００５９】
2004064797.tif 000004
は、信号干渉比である。
【００６０】
　また、ステップＳ１では、ＵＥはＨＳ−ＤＳＣＨ信号の現在のフレームに関して巡回冗長検査（ＣＲＣ）を行う。ＣＲＣの結果（合格又は不合格）は、ＡＣＫ／ＮＡＣＫメッセージを作成するのに必要とされるが、以下に説明されるように、本実施例における他の目的にも使用される。
【００６１】
　ステップＳ２では、ステップＳ１で形成したダウンリンクチャネル品質の測定値が、ＭＣＳ選択用のＵＥにより保持される閾値群と比較される。隣接するＭＣＳレベルの各々の組み合わせについて、そのような１つの閾値が存在する。これらの閾値は、図４に関して説明した閾値Ｔｈ０１，Ｔｈ０２，Ｔｈ０３に相当する。比較結果に基づいて、ダウンリンクチャネル品質の測定値が、ある閾値の±αｄＢの所定の範疇にあるか否かが判定される。より詳細に後述されるように、αは、組み合わせの異なる閾値に対して、異なり得る。また、各閾値について、α１，α２の２つのαの値が存在する場合があり、ダウンリンクチャネル品質測定値は、閾値マイナスα１より大きく且つ閾値プラスα２より小さいならば、所定の範囲内にあるものとされる。
【００６２】
　ダウンリンクチャネル品質測定値が、閾値各自の所定の範囲外にあるならば、ステップＳ３にて、どの閾値についても変更は必要とされないことが決定され、プロセスはステップＳ７に進む。ステップＳ７では、ダウンリンクチャネル品質測定値が、異なる閾値と比較され、比較結果に基づいて適切なＭＣＳレベルが選択される。従って、図４の例では、ダウンリンクチャネル品質測定値が閾値Ｔｈ０３より大きかったならばＭＣＳ８が選択され；測定値が閾値Ｔｈ０２及びＴｈ０３の間にあったならばＭＣＳ６が選択され；測定値が閾値Ｔｈ０１及びＴｈ０２の間にあったならばＭＣＳ５が選択され、測定値が閾値Ｔｈ０１より小さかったならばＭＣＳ１が選択される。選択されたＭＣＳレベルは、ＨＳ−ＤＰＣＣＨを利用して基地局に報告される。
【００６３】
　ステップＳ２において、ダウンリンクチャネル品質測定値が、一群の閾値の１つの所定の範疇にあることが見出されたならば、プロセスはステップＳ４に進む。ステップＳ４では、ステップＳ１におけるＣＲＣ結果が合格であったか不合格であったかが判別される。その結果が合格であったならば、即ちＡＣＫメッセージがＵＥから基地局に返送されたならば、その範疇にあることが見出された閾値は、ステップＳ５にて下降量ΔＤｏｗｎだけ減らされる。一方、ＣＲＣ結果が不合格であったならば、即ちＮＡＣＫメッセージが基地局にＵＥから返送されたならば、所定の範疇にあることが見出されたその閾値は、ステップＳ６にて上昇量ΔＵｐだけ増やされる。
【００６４】
　ステップＳ５，Ｓ６では、ダウンリンクチャネル品質測定値の所定の範疇にあることが見出された閾値のみが変更される。残りの閾値の各々は不変のままにされる。
【００６５】
　以下、上昇及び下降量ΔＵｐ及びΔＤｏｗｎについて、詳細に説明する。
【００６６】
　ステップＳ５又はステップＳ６の後に、次のダウンリンクフレームに適切なＭＣＳレベルを選択するために、プロセスはステップＳ７に進む。従って、この場合に、その選択は、更新された閾値群に基づいてなされる。
【００６７】
　そして、以前に説明したＮＥＣ及びモデュステレコムの共同提案のように、第１実施例では、ダウンリンク信号がＵＥにより良好に受信されたか否かに応じて（ステップＳ４乃至Ｓ６）、閾値が調整される。しかしながら、以前の提案は、ダウンリンクチャネル品質によらずフレーム毎に閾値を変更していたが、本実施例は、ダウンリンクチャネル品質測定値がその値を含む所定の範疇にある場合にのみ閾値を調整する。それ以外の場合は、閾値には何らの変更もなされない（ステップＳ３）。このことは、本方法を使用する場合に、閾値に対する変更を制限する効果を有する。意外なことに、この単純な基準（ｍｅａｓｕｒｅ）は、図１０乃至図１３を参照しながら以下に説明されるように、ＡＭＣＳ法の実効性（パフォーマンス）に顕著な改善をもたらす。
【００６８】
　図１０は、固定された閾値を有する従来の第１のＡＭＣＳ法（実線）、調整可能な閾値を有するＮＥＣ／モデュステレコムの共同提案による従来の第２のＡＭＣＳ法（点線）、及び本発明を利用するＡＭＣＳ法（波線）に関する、スループット対ダウンリンクチャネル品質特性を示す。図１０は、ＵＥが、３ｋｐｈの低速で移動しており、ＵＥにより実行されるチャネル推定が完璧であることを想定している。
【００６９】
　更に、基地局及びＵＥ間で優勢な経路状態は、単独の支配的な経路が存在するようなものであることも想定している。この種の経路状態は、例えば、都市環境とは異なり、開放された田舎で生じ得る。図１０に示されるように、本発明を利用するＡＭＣＳ法は、ダウンリンクチャネル品質の非常に広い範囲にわたって（例えば、−６ｄＢ乃至＋１６ｄＢ）、従来方法の両者を上回る顕著な特性改善を与える。これに対して、従来の第２の手法は、約−１０ｄＢ乃至＋４ｄＢの範疇の段リンクチャネル品質に関し、単独の経路状態の下での特性に、著しい窪み（ｄｉｐ）をもたらす。この窪みは、単独の優勢な経路状態の下に閾値を集めたこと（ｂｕｎｃｈｉｎｇ）に起因して生じたものと考えられる。
【００７０】
　図１１は、単独の経路状態であるが、ＵＥが６０ｋｐｈの中間的な速度で移動する場合に対応する３つの方法に関する結果を示す。この場合にも、本発明によるＡＭＣＳ法は、従来の第２の手法に生じる望まれない窪みを回避することが示される。
【００７１】
　図１２は、２つの等しい利得経路状態の下に得られた、３つの異なる方法についての結果を示し、（比較のため）単独の経路状態での従来の第１の手法、及び本発明を利用する手法の実効性を示す。図１２では、ＵＥは図１０のように３ｋｐｈで移動することが想定されている。
【００７２】
　２つの等利得経路状態の下でも、本発明を利用する手法は、２つの従来の手法を凌駕することが理解される。
【００７３】
　最後に、図１３は、図１２に関連する結果であるが、ＵＥが１２０ｋｐｈの非常に高速で移動する場合についてのものである。このような状態でも、本発明を利用する手法は、従来の手法の両者を凌駕し、特に、＋４ｄＢ及び＋２４ｄＢの間にダウンリンクチャネル品質に関する顕著な特性劣化をもたらす従来の第１の手法（固定された閾値）を上回る。
【００７４】
　次に、図１４を参照しながら、第１実施例についての可能な変形を説明する。この変形は、図８のステップＳ７で行われる動作に関連する。この変形例では、更新された一群の閾値に基づいて次のダウリンクフレームについてのＭＣＳレベルの選択を行うことに加えて、ＵＥは、ＭＣＳレベルを決定するに際してＣＲＣ結果をも考慮に入れる。
【００７５】
　図１４は、ＭＣＳ５及びＭＣＳ６の間で選択するために使用される閾値Ｔｈ０２、及びＭＣＳ６及びＭＣＳ８の間で選択するために使用される閾値Ｔｈ０３を示す。閾値はステップＳ５又はＳ６で必要に応じて調整され、又はステップＳ３にて不変に維持され、現在のＭＣＳレベルはＭＣＳ６であることを想定する。
【００７６】
　当然ながら、ダウンリンクチャネル品質測定値が領域Ｒ１内にあるならば、即ちＴｈ０２及びＴｈ０３の間にあるならば、ＭＣＳレベルはステップＳ７にて不変に維持される。同様に、ダウンリンクチャネル品質測定値が領域Ｒ２内にあるならば、即ちＴｈ０２及び図１４に不図示のより低い閾値の間にあるならば、ＭＣＳレベルは、現在のレベルＭＣＳ６からより低いレベルＭＣＳ５に減らされる。
【００７７】
　しかしながら、ダウンリンクチャネル品質測定値が領域Ｒ３内にあるならば、即ちＴｈ０３より大きいならば、ＭＣＳレベルは、上述したようにステップＳ７にて自動的にＭＣＳ８に増やされない。その代りに、ＣＲＣ結果が良好でないならば、ＭＣＳレベルは現在のレベルＭＣＳ６に維持され、ＣＲＣ結果が合格であった場合にのみＭＣＳ８に増やされる。このようにして、より高いＭＣＳレベルの選択は、閾値比較によってそれが示唆されたとしても、信号が良好に受信されなければ禁止される。
【００７８】
　上述したように、値α（又はα１，α２の組）は、各閾値について異ならせることが可能である。典型的なαの値は１ｄＢである。しかしながら、ある閾値について、αを大きくする、又は少なくともα１，α２の一方を他方よりも大きくすることがふさわしい場合がある。例えば、上述した図７は、経路状態が等利得経路であり、フェージングモデルがレイリーフェージングモデルである場合に、ＭＣＳ６はＭＣＳ８よりも常に大きなスループットを与えることを示していた。言い換えれば、ＭＣＳ６及びＭＣＳ８の間で選択するための閾値Ｔｈ０３は冗長であり、それは無限大の値を有することと等価である。このことは、Ｔｈ０３が非常に広範囲にわたって変化し得ることを示す。この場合に、Ｔｈ０３に関するα２は、任意的に大きく又は無限大に選択され得る。
【００７９】
　上昇量ΔＵｐ及び下降量ΔＤｏｗｎは、好ましくは次式（１）のように設定され、
【００８０】
【数１】
2004064797.tif 000005
ここで、ＦＥＲは目標のフレームエラーレートである。
【００８１】
　目標のフレームエラーレートは、異なる閾値各々について異ならせ得る。約１０乃至１５％のＦＥＲ値が一般に考慮される。目標のＦＥＲは、代替的に、現在選択しているＭＣＳレベルに対する目標ＦＥＲ値、例えばそのＭＣＳレベルが選択されている品質測定値の範疇の中央における品質測定値に関する目標値とすることも可能である。
【００８２】
　また、現在のダウンリンクチャネル品質測定値及び調整される閾値の間の差分に基づいて、上昇量ΔＵｐ及び下降量ΔＤｏｗｎの一方又は双方を形成することも可能である。例えば、次式（２）
【００８３】
【数２】
2004064797.tif 000006
のようにすることが可能であり、ここで、ΔＵｐ０はΔＵｐの初期値であり、Ｔｈｘは調整される閾値であり、ＳＩＲは目下のダウンリンクチャネル品質測定値であり、ａ及びｂは定数である。ここで、ａ＞０（実用的な値は、０．２５乃至１であり得る。）及びｂ≧０である。
【００８４】
　これは、ΔＵｐと、図１５（Ａ）に示されるようなＳＩＲ及びＴｈｘ間の差分との間の関係を与える。定数ｂは図１５（Ａ）の横側の傾斜を調整し、この定数はΔＵｐに設けられる限度レベルを調整する。ΔＵｐ及びΔＤｏｗｎ間の関係は、上記の数式（１）と同一であり得る。或いは、
　ΔＵｐ＝（ΔＵｐ０）＊ｍａｘ｛０，β−ｂ（｜ＳＩＲ−Ｔｈｘ｜）｝・・・（３）
とすることも可能であり、ここで、β及びｂは定数であり、ｂ≧０である。定数βは、αと同様な閾値調整幅を表現し、β＝αとすることが可能である。方程式（３）は、図１５（Ｂ）に示されるような、ΔＵｐとＳＩＲ及びＴｈｘ間の差分との間の関係を与える。方程式（１）は、この場合もΔＤｏｗｎを設定するために使用され得る。
【００８５】
　方程式（２）、（３）は、ダウンリンクチャネル品質測定値が、現在の閾値の１つに近づくようになった場合に、ΔＵｐ（及びΔＤｏｗｎ）を増加させる機能を有する。
【００８６】
　図８を参照しながら説明した第１実施例では、閾値の調整及びＭＣＳレベルの選択は、ＵＥにて行われていた。しかしながら、これらの動作がＵＥにて行われることは必須ではない。これらの動作の１つ又は双方が、本発明の第２実施例に関連して以下に説明されるように、基地局で実行されることも可能である。
【００８７】
　図１６を参照するに、最初のステップＳ１０では、ＵＥがダウンリンクチャネル品質の測定値を求め、目下のＨＳ−ＤＳＣＨのフレームにおける巡回冗長検査を実行する。ダウンリンク信号品質測定値及びＣＲＣ結果は、ＨＳ−ＤＰＣＣＨを通じてＵＥにより基地局に報告される。そして、基地局はステップＳ１１乃至Ｓ１５を実行し、これらは、その動作が本実施例の場合にはＵＥではなく基地局で実行される点を除いて、図６のステップＳ２乃至Ｓ６の各々と同様のものである。
【００８８】
　ステップＳ１６では、（図８のステップＳ７でＵＥが行ったのと同様な手法で）基地局が、閾値に基づいて次のダウンリンクフレームについてのＭＣＳレベルを選択する。
【００８９】
　第１及び第２実施例の両者において、ダウンリンクチャネル品質測定値に応じてなされるＭＣＳ選択は（ステップＳ７又はステップＳ１６）、基地局によって、例えば対象とするＵＥに送信するために基地局で待ち受けるデータ量に依存して、無効（ｏｖｅｒｒｉｄｅ）にされ得る。
【００９０】
　上述した例では、利用可能なＭＣＳレベルはＭＣＳ１，ＭＣＳ５，ＭＣＳ６，ＭＣＳ８であったが、任意の２以上の異なるＭＣＳレベルが本発明の実施例に利用され得ることは、理解されるであろう。ＭＣＳ１乃至ＭＣＳ８の特徴内容を示すテーブルが、図１７に例として提示される。
【００９１】
　当該技術分野でよく知られているように、異なる変調手法は、変調シンボル当たりの異なるビット数を使用し得る。直交位相シフトキーイング（ＱＰＳＫ）はシンボル当たり２ビットを有し、８位相シフトキーイング（８ＰＳＫ）はシンボル当たり３ビットを有し、１６直交振幅変調（６４ＱＡＭ）はシンボル当たり８ビットを有する。各々の手法は、２＾ｎ個の信号配置点又はコンステレーション点を与え、ここでｎはシンボル当たりのビット数である。Ｉ−Ｑ信号空間におけるコンステレーション点については、図１８にて８ＰＳＫ，１６ＱＡＭ及び６４ＱＡＭの場合が示されている。
【００９２】
　非同期パケットモードを使用する広帯域ＣＤＭＡに関連して本発明の実施例が説明されてきたが、本発明は、ＡＭＣＳ法が使用され得る他の任意のネットワークにも適用され得ることは、理解されるであろう。これらのネットワークは、ＩＳ９５ネットワークのような他のＣＤＭＡネットワークであり得る、又はそれに適合され得る。また、これらのネットワークは、ＣＤＭＡを利用しない他の通信ネットワーク、例えば以下の多重接続技術の１つ又はそれ以上を利用するネットワークであり得る、又はそれに適合され、その多重接続技術は：時分割多重接続（ＴＤＭＡ）、波長分割多重接続（ＷＤＭＡ）、周波数分割多重接続（ＦＤＭＡ）及び空間分割多重接続（ＳＤＭＡ）である。
【００９３】
　当業者は、本発明の実施例における基地局及び／又はユーザ装置の機能の全部又は一部を実現するために、マイクロプロセッサ又はディジタル信号プロセッサ（ＤＳＰ）が実際には使用され得ることを、理解するであろう。
【００９４】
　以下、本発明により教示される手段を列挙する。
【００９５】
　（付記１）　送信機から受信機に送信される信号に適用される、複数の利用可能な異なる変調及び符号化レベルの１つを選択するステップであって、該選択が、信号送信品質及び閾値の間の比較に基づいて行われるところのステップ；及び
　前記信号送信品質が前記閾値の所定の範囲内にある場合に前記閾値を調整し、前記信号送信品質が該範囲外にある場合には前記閾値を不変に維持するステップ；
　より成ることを特徴とする適応変調及び符号化方法。
【００９６】
　（付記２）　前記信号送信品質が、信号対干渉比であることを特徴とする付記１記載の方法。
【００９７】
　（付記３）　前記信号送信品質が、受信機によって測定されることを特徴とする付記１又は２に記載の方法。
【００９８】
　（付記４）　調整するステップにおいて、前記信号が前記受信機により良好に受信されなかった場合に前記閾値がある上昇量だけ増やされ、前記信号が前記受信機により良好に受信された場合にはある下降量だけ減らされることを特徴とする付記１乃至３の何れか１項に記載の方法。
【００９９】
　（付記５）　調整するステップにおいて、前記受信機により受信された前記信号が巡回冗長検査に不合格となった場合に前記閾値がある上昇量だけ増やされ、前記受信された信号が巡回冗長検査に合格した場合にはある下降量だけ減らされることを特徴とする付記１乃至４の何れか１項に記載の方法。
【０１００】
　（付記６）　前記上昇量が、前記下降量とは異なることを特徴とする付記４又は５に記載の方法。
【０１０１】
　（付記７）　前記下降量が、前記上昇量より小さいことを特徴とする付記６に記載の方法。
【０１０２】
　（付記８）　前記上昇量に対する前記下降量の比率が、受信される信号の目標エラーレートに依存することを特徴とする付記４乃至７の何れか１項に記載の方法。
【０１０３】
　（付記９）　前記下降量及び／又は前記上昇量が、前記閾値及び前記信号送信品質の間の差分に依存することを特徴とする付記４乃至８の何れか１項に記載の方法。
【０１０４】
　（付記１０）　前記の量が、前記差分が減少するにつれて増加することを特徴とする付記９に記載の方法。
【０１０５】
　（付記１１）　隣接する前記のレベルのペア各組について閾値を設け、選択するステップにおける該選択が、前記信号送信品質及び前記閾値の間の比較結果に基づくことを特徴とする付記１乃至１０の何れか１項に記載の方法。
【０１０６】
　（付記１２）　前記信号送信品質が対象とする前記閾値の所定の範囲内にある場合に、前記閾値の各々が調整されることを特徴とする付記１１に記載の方法。
【０１０７】
　（付記１３）　前記閾値の少なくとも１つに対する所定の範囲が、前記閾値の他のものの所定の範囲と相違することを特徴とする付記１１又は１２に記載の方法。
【０１０８】
　（付記１４）　調整するステップ及び選択するステップが、前記受信機にて行われ、選択されたレベルを前記受信機が前記送信機に報告することを特徴とする付記１乃至１３の何れか１項に記載の方法。
【０１０９】
　（付記１５）　前記受信機が、前記信号送信品質を前記送信機に報告し、調整するステップ及び選択するステップが、前記送信機で行われることを特徴とする付記１乃至１３の何れか１項に記載の方法。
【０１１０】
　（付記１６）　選択するステップが調整するステップの後に行われ、前記信号送信品質及び前記閾値の間の比較によって前記調整するステップにて調整される又は維持されるように示される場合に、前記信号が前記受信機によって良好に受信されなかったならば、選択するステップにおける、より高いレベルの選択が禁止されることを特徴とする付記１乃至１５の何れか１項に記載の方法。
【０１１１】
　（付記１７）　前記送信機が無線通信システムの基地局であり、前記受信機が該システムのユーザ装置であることを特徴とする付記１乃至１６の何れか１項に記載の方法。
【０１１２】
　（付記１８）　前記信号が、ダウンリンクパケットアクセス信号であることを特徴とする付記１７に記載の方法。
【０１１３】
　（付記１９）　送信機から受信機に送信される信号に適用される、複数の利用可能な異なる変調及び符号化レベルの１つを選択するレベル選択手段であって、該選択が、信号送信品質及び閾値の間の比較に基づいて行われるところのレベル選択手段；及び
　前記信号送信品質が前記閾値の所定の範囲内にある場合に前記閾値を調整するように動作し、前記信号送信品質が該範囲外にある場合には前記閾値を不変に維持するようにも動作する閾値調整手段；
　を有することを特徴とする適応変調及び符号化装置。
【０１１４】
　（付記２０）　無線通信システムで使用するユーザ装置であって：
　基地局からユーザ装置に送信されるダウンリンク信号に、該システムの基地局により適用される、複数の利用可能な異なる変調及び符号化レベルの１つを選択するレベル選択手段であって、該選択が、信号送信品質及び閾値の間の比較に基づいて行われるところのレベル選択手段；
　前記信号送信品質が前記閾値の所定の範囲内にある場合に前記閾値を調整するように動作し、前記信号送信品質が該範囲外にある場合には前記閾値を不変に維持するようにも動作する閾値調整手段；及び
　選択されたレベルを前記基地局に報告する報告手段；
　を有することを特徴とする無線通信システムで使用するユーザ装置。
【０１１５】
　（付記２１）　無線通信システムで使用するための基地局であって：
　該システムのユーザ装置から、前記ユーザ装置によって生成されたダウンリンク信号送信品質の報告を受信する報告受信手段；
　基地局からユーザ装置に送信されるダウンリンク信号に適用される、複数の利用可能な異なる変調及び符号化レベルの１つを選択するレベル選択手段であって、該選択が、報告されたダウンリンク信号送信品質及び閾値の間の比較に基づいて行われるところのレベル選択手段；及び
　前記信号送信品質が前記閾値の所定の範囲内にある場合に前記閾値を調整するように動作し、前記信号送信品質が該範囲外にある場合には前記閾値を不変に維持するようにも動作する閾値調整手段；
　を有することを特徴とする基地局。
【０１１６】
　（付記２２）　無線通信システムのユーザ装置内のプロセッサにて動作するオペレーティングプログラムであって、
　基地局からユーザ装置に送信されるダウンリンク信号に、該システムの基地局により適用される、複数の利用可能な異なる変調及び符号化レベルの１つを選択するステップであって、該選択が、信号送信品質及び閾値の間の比較に基づいて行われるところのステップ；
　前記信号送信品質が前記閾値の所定の範囲内にある場合に前記閾値を調整し、前記信号送信品質が該範囲外にある場合には前記閾値を不変に維持するステップ；及び
　選択されたレベルを前記基地局に報告するステップ；
　をユーザ装置に実行させることを特徴とするオペレーティングプログラム。
【０１１７】
　（付記２３）　無線通信システムの基地局内のプロセッサにて動作するオペレーティングプログラムであって：
　該システムのユーザ装置から、前記ユーザ装置によって生成されたダウンリンク信号送信品質の報告を受信するステップ；
　基地局からユーザ装置に送信されるダウンリンク信号に、基地局によって適用される、複数の利用可能な異なる変調及び符号化レベルの１つを選択するステップであって、該選択が、報告されたダウンリンク信号送信品質及び閾値の間の比較に基づいて行われるところのステップ；及び
　前記信号送信品質が前記閾値の所定の範囲内にある場合に前記閾値を調整し、前記信号送信品質が該範囲外にある場合には前記閾値を不変に維持するステップ；
　を基地局に実行させることを特徴とするオペレーティングプログラム。
【図面の簡単な説明】
【０１１８】
【図１】ダウンリンク送信に関するＨＳＤＰＡ法を利用する無線通信システムの一部を示す図である。
【図２】図１のシステムにおけるＨＳＤＰＡ法の動作例を示す図である。
【図３】無線通信システムにおける４つの異なるＵＥに関する、一連の送信時間間隔にわたるダウンリンクチャネルの信号干渉比の変動する様子を例示する図である。
【図４】適応変調及び符号化法を説明するために使用するグラフである。
【図５】自動反復要求プロセスを説明するために使用する概略図である。
【図６】適応変調及び符号化法の動作にＵＥ速度がどのように影響するかを示す図４に関連するグラフである。
【図７】異なる経路状態が適応変調及び符号化法の動作にどのように影響するかを示す他のグラフである。
【図８】本発明の第１実施例によるＡＭＣＳ法を説明するためのフローチャートである。
【図９】行われる信号送信を説明するための無線通信システムの部分概略図である。
【図１０】異なるユーザ速度及び経路状態の下で、本発明を利用するＡＭＣ法と従来方法の動作を比較するグラフである。
【図１１】異なるユーザ速度及び経路状態の下で、本発明を利用するＡＭＣ法と従来方法の動作を比較するグラフである。
【図１２】異なるユーザ速度及び経路状態の下で、本発明を利用するＡＭＣ法と従来方法の動作を比較するグラフである。
【図１３】異なるユーザ速度及び経路状態の下で、本発明を利用するＡＭＣ法と従来方法の動作を比較するグラフである。
【図１４】図８の方法に対する改良を説明するのに使用する概略図である。
【図１５】図８の方法に使用される上昇量を設定する手法を説明するのに使用する概略図である。
【図１６】本発明の第２実施例によるＡＭＣＳ法を説明するために使用されるフローチャートである。
【図１７】様々なＭＣＳレベルの詳細なパラメータを与えるテーブルを示す図である。
【図１８Ａ】例えばＭＣＳレベルに関する信号配置点を示すＩ−Ｑ図である。
【図１８Ｂ】例えばＭＣＳレベルに関する信号配置点を示すＩ−Ｑ図である。
【図１８Ｃ】例えばＭＣＳレベルに関する信号配置点を示すＩ−Ｑ図である。
【符号の説明】
【０１１９】
　１　無線通信システム
　２　基地局
　ＵＥ　ユーザ装置
　Ｃ１〜Ｃ１０　チャネル
　Ｔｈ０１〜Ｔｈ０３　閾値　
【図１】
2004064797.tif 000008
【図２】
2004064797.tif 000009
【図３】
2004064797.tif 000010
【図４】
2004064797.tif 000011
【図５】
2004064797.tif 000012
【図６】
2004064797.tif 000013
【図７】
2004064797.tif 000014
【図８】
2004064797.tif 000015
【図９】
2004064797.tif 000016
【図１０】
2004064797.tif 000017
【図１１】
2004064797.tif 000018
【図１２】
2004064797.tif 000019
【図１３】
2004064797.tif 000020
【図１４】
2004064797.tif 000021
【図１５】
2004064797.tif 000022
【図１６】
2004064797.tif 000023
【図１７】
2004064797.tif 000024
【図１８Ａ】
2004064797.tif 000025
【図１８Ｂ】
2004064797.tif 000026
【図１８Ｃ】
2004064797.tif 000027